(57)【要約】【課題】戸板の上端側をガイドする部材を少なくとも全閉位置において目立ち難くしながらも、全開位置及び全閉位置に移動する戸板の衝撃を緩和し得る引戸装置を提供する。【解決手段】壁体２に設けられた開口３を該開口の壁厚方向一方側において開閉するように前記壁体の一方面に沿ってスライド自在に建て付けられる戸板１０を備えた引戸装置１であって、前記壁体の一方側の床側に配設され、前記戸板の下端側をガイドする下レール７と、該下レールの長手方向両端部に設けられ、前記戸板の全閉位置及び全開位置をそれぞれに規制する一対のストッパー部８，９と、前記壁体の一方側において全閉位置の前記戸板の戸幅内に納まる位置となるように配設され、前記戸板の上端側をガイドする上ガイド部材１９と、前記戸板の下端部の戸幅方向両端部に、前記一対のストッパー部によって作動されるように設けられ、前記戸板を減速させる緩衝機構１４，１７と、を備えている。【選択図】図１
2016130390.tif 000002
【特許請求の範囲】
【請求項１】
壁体に設けられた開口を該開口の壁厚方向一方側において開閉するように前記壁体の一方面に沿ってスライド自在に建て付けられる戸板を備えた引戸装置であって、
前記壁体の一方側の床側に配設され、前記戸板の下端側をガイドする下レールと、
該下レールの長手方向両端部に設けられ、前記戸板の全閉位置及び全開位置をそれぞれに規制する一対のストッパー部と、
前記壁体の一方側において全閉位置の前記戸板の戸幅内に納まる位置となるように配設され、前記戸板の上端側をガイドする上ガイド部材と、
前記戸板の下端部の戸幅方向両端部に、前記一対のストッパー部によって作動されるように設けられ、前記戸板を減速させる緩衝機構と、を備えていることを特徴とする引戸装置。
【請求項２】
請求項１において、
前記上ガイド部材は、全開位置の前記戸板の戸先側端部幅内に納まる位置となるように配設される構成とされていることを特徴とする引戸装置。
【請求項３】
請求項１または２において、
前記開口を区画する開口枠を更に備えており、
前記上ガイド部材は、前記開口枠に固定されることを特徴とする引戸装置。
【発明の詳細な説明】
【技術分野】
【０００１】
本発明は、引戸装置に関する。
【背景技術】
【０００２】
従来より、壁体に設けられた出入口等となる開口をこの開口の壁厚方向一方側において開閉するように壁体の一方面に沿ってスライド自在に、いわゆるアウトセット納め状に建て付けられる引戸が知られている。このようなアウトセット納めとした場合には、引戸の上端側をガイドする上レールが壁面に沿うように取り付けられる。そのため、特に、引戸を閉鎖した状態では、開放された際に引戸が沿わせられる（納められる）側の壁面において上レールが目立ち易くなるという問題があった。
例えば、下記特許文献１には、引戸の下端部に設けた戸車が走行し床面に固定されるレールの両端部にストッパー部材を設け、引戸の上部をガイドする上部案内機構を設けた引戸装置が開示されている。また、この引戸装置は、開口部とその側方の壁面との間の上部の壁面に設けられる上部案内機構を構成するガイド部材に、引戸の上端部に設けられたレール部材のガイド片が係合するガイド溝を設けた構成とされている。
【先行技術文献】
【特許文献】
【０００３】
【特許文献１】特開２００３−８２９１５号公報
【発明の概要】
【発明が解決しようとする課題】
【０００４】
しかしながら、上記特許文献１に記載されたような引戸装置では、全開位置及び全閉位置に移動する引戸のストッパー部材に対する衝撃が大きくなることが考えられた。
【０００５】
本発明は、上記実情に鑑みてなされたものであり、戸板の上端側をガイドする部材を少なくとも全閉位置において目立ち難くしながらも、全開位置及び全閉位置に移動する戸板の衝撃を緩和し得る引戸装置を提供することを目的としている。
【課題を解決するための手段】
【０００６】
前記目的を達成するために、本発明に係る引戸装置は、壁体に設けられた開口を該開口の壁厚方向一方側において開閉するように前記壁体の一方面に沿ってスライド自在に建て付けられる戸板を備えた引戸装置であって、前記壁体の一方側の床側に配設され、前記戸板の下端側をガイドする下レールと、該下レールの長手方向両端部に設けられ、前記戸板の全閉位置及び全開位置をそれぞれに規制する一対のストッパー部と、前記壁体の一方側において全閉位置の前記戸板の戸幅内に納まる位置となるように配設され、前記戸板の上端側をガイドする上ガイド部材と、前記戸板の下端部の戸幅方向両端部に、前記一対のストッパー部によって作動されるように設けられ、前記戸板を減速させる緩衝機構と、を備えていることを特徴とする。
【発明の効果】
【０００７】
本発明に係る引戸装置は、上述のような構成としたことで、戸板の上端側をガイドする部材を少なくとも全閉位置において目立ち難くしながらも、全開位置及び全閉位置に移動する戸板の衝撃を緩和することができる。
【図面の簡単な説明】
【０００８】
【図１】本発明の一実施形態に係る引戸装置の一例を施工した状態を模式的に示す一部破断概略正面図である。
【図２】同引戸装置の一例を施工した状態を模式的に示す一部破断概略正面図である。
【図３】（ａ）は、図１におけるＸ−Ｘ線矢視に対応させた一部破断概略縦断面図、（ｂ）は、図１におけるＹ−Ｙ線矢視に対応させた一部破断概略横断面図である。
【図４】（ａ）、（ｂ）は、いずれも図１におけるＺ１部に対応させた一部破断概略拡大縦断面図、（ｃ）、（ｄ）は、いずれも図２におけるＺ２部に対応させた一部破断概略拡大縦断面図である。
【発明を実施するための形態】
【０００９】
以下に本発明の実施の形態について、図面に基づいて説明する。
なお、一部の図では、他図に付している詳細な符号の一部を省略している。
また、以下の実施形態では、本実施形態に係る引戸装置を施工した状態を基準として上下方向等の方向を説明する。
【００１０】
本実施形態に係る引戸装置１は、図１、図２及び図３に示すように、壁体２に設けられた開口３をこの開口３の壁厚方向一方側において開閉するように壁体２の一方面に沿ってスライド自在に設けられる戸板１０を備えている。つまり、この戸板１０は、壁体の一部に袖壁を設ける袖壁納めや壁体に戸袋を設ける戸袋納めではなく、開口３の壁厚方向一方側となる外側においてスライド自在に、いわゆるアウトセット納め状に建て付けられる構成とされている。また、この戸板１０は、図１に示す全閉位置から戸幅方向一方側に片引き状にスライドされて図２に示す全開位置とされれば、開口３の開口幅方向一方側に位置する壁体２の壁厚方向一方側に配される構成とされている。本実施形態では、引戸装置１を、単一の戸板１０を備えた構成としている。
【００１１】
また、引戸装置１は、壁体２の一方側（壁厚方向一方側）の床側に配設され、戸板１０の下端側をガイドする下レール７と、壁体２の一方側（壁厚方向一方側）に配設され、戸板１０の上端側をガイドする上ガイド部材１９と、を備えている。また、引戸装置１は、下レール７の長手方向両端部に設けられ、戸板１０の全閉位置及び全開位置をそれぞれに規制する一対のストッパー部８，９を備えている。また、引戸装置１は、戸板１０の下端部の戸幅方向両端部に、一対のストッパー部８，９によって作動されるように設けられ、戸板１０を減速させる緩衝機構１４，１７を備えている。また、引戸装置１は、戸板１０の荷重を下レール７によって受ける下荷重型とされている。
また、本実施形態では、引戸装置１を、開口３を区画する開口枠４を備えた構成としている。
【００１２】
開口３は、図３（ｂ）に示すように、住居等の建物の壁体２を貫通するように設けられ、出入口を構成する。
この開口３の上側及び左右（開口幅方向）両側は、開口枠４を構成する上枠５及び一対の縦枠６，６によって区画される。また、この開口３の下側は、床面によって区画するようにしてもよく、下枠によって区画するようにしてもよい。
開口枠４を構成する上枠５及び一対の縦枠６，６は、適宜の枠下地に固定され、図例では、これらの壁厚方向（見込方向）両端部がいわゆるちり部となるように壁厚方向両面から突出する固定枠とした例を示している。なお、このような態様に代えて、これら上枠５及び一対の縦枠６，６を、額縁状部材を備えたいわゆるケーシング枠としてもよい。
【００１３】
上ガイド部材１９は、図１及び図３（ｂ）に示すように、壁体２の一方側（壁厚方向一方側）において、全閉位置の戸板１０の戸幅内に納まる位置となるように配設される構成とされている。つまり、このガイド部材１９は、後記する下レール７のように、全閉位置と全開位置とに亘ってスライドする戸板１０の下端側のガイドが可能なように、長尺状とされておらず、戸幅方向に沿う寸法が戸板１０の戸幅寸法以下とされている。
【００１４】
本実施形態では、上ガイド部材１９を、図２に示すように、全開位置の戸板１０の戸先側端部幅内に納まる位置となるように配設される構成としている。換言すれば、この上ガイド部材１９は、全開位置と全閉位置とを移動する戸板１０の移動軌跡の概ね中央部となる一方の縦枠（全開位置とされた戸板１０の戸先側端部近傍に位置する縦枠）６の近傍に位置するように配設される構成とされている。
つまり、上ガイド部材１９の戸幅方向に沿う寸法は、全閉位置とされた戸板１０の戸尻側端面から全開位置とされた戸板１０の戸先側端面までの戸幅方向に沿う寸法以下とされている。つまりは、この上ガイド部材１９は、図１及び図２に示すように、戸板１０が全閉位置及び全開位置のいずれにおいても、戸厚方向に見て、戸板１０の戸幅方向両端面から戸幅方向外方側に突出しないように配設される構成とされている。図例では、この上ガイド部材１９の戸幅方向に沿う寸法を、一方の縦枠６の戸幅方向に沿う寸法（見付寸法）と略同寸法とした例を示している。
【００１５】
また、本実施形態では、上ガイド部材１９を、開口枠４に固定される構成としている。
この上ガイド部材１９は、図３（ａ）に示すように、取付対象としての開口枠４に取り付けられる取付片部１９ｃと、戸板１０の上端側に設けられた被ガイド部１１に係合するガイド部１９ａと、を備えている。
取付片部１９ｃは、壁厚方向に厚さ方向を概ね沿わせた薄板状とされ、開口枠４にねじ等の止具によって固定される。図例では、取付片部１９ｃを、縦勝ち状とされた開口枠４を構成する一方の縦枠６の上端部の戸板１０側に向く面に固定した例を示している。なお、このような態様に代えて、例えば、取付片部１９ｃを、上枠５に固定するようにしてもよく、また、開口枠４の上面側に固定するようにしてもよい。
【００１６】
ガイド部１９ａは、本実施形態では、後記する戸板１０の上端部に設けられた被ガイド部としての凹溝１１に挿入されるガイド突片部１９ａとされている。
このガイド突片部１９ａは、壁厚方向に厚さ方向を沿わせた薄板状とされている。図例では、ガイド突片部１９ａを、取付片部１９ｃの上端部から壁厚方向一方側に向けて突出するように設けられた支持片部１９ｂの突出方向先端部から下方に向けて突出させるように設けた例を示している。
なお、このガイド突片部１９ａの壁厚方向両側に、戸板１０の凹溝１１の内面に摺るように接する突部を設けたり、このガイド突片部１９ａに、戸板１０の凹溝１１の内面に当接されて転動するガイドローラーを設けたりしてもよい。
また、この上ガイド部材１９は、金属系材料や硬質の合成樹脂系材料等から形成されたものとしてもよい。
【００１７】
下レール７は、戸板１０のスライド方向（戸幅方向）に沿って長尺状とされ、図１に示す全閉位置と図２に示す全開位置とに亘ってスライドする戸板１０の下端側のガイドが可能なように床側に配設される。図例では、この下レール７の長さを、全閉位置の戸板１０の戸先側端面から全開位置の戸板１０の戸尻側端面までの戸幅方向に沿う寸法に応じた寸法とした例を示している。つまりは、下レール７は、開口３の開口幅寸法の２倍以上の長さとされている。
また、この下レール７には、上方に向けて開口するガイド溝７ａが長手方向に延びるように設けられている。
【００１８】
この下レール７は、図３（ｂ）に示すように、開口３の壁厚方向一方側となる両縦枠６，６の壁厚方向一方側に位置するように配される。図例では、この下レール７を、その長手方向一端部が全閉位置とされた戸板１０の戸先側端部近傍に位置する他方の縦枠６の壁厚方向一方側に位置するように配した例を示している。また、図例では、この下レール７を、両縦枠６，６の壁厚方向一方面に近接するように配した例を示している。
また、本実施形態では、この下レール７を、床上に設置される、いわゆる直付レールとしている。なお、このような態様に代えて、下レール７を、床に埋込状に設けられるものとしてもよい。
【００１９】
ストッパー部８，９は、下レール７の長手方向一端部に設けられ戸板１０の全閉位置を規制する全閉側ストッパー部８と、下レール７の長手方向他端部に設けられ戸板１０の全開位置を規制する全開側ストッパー部９と、からなる。これらストッパー部８，９は、上方に向けて突出するように設けられている。
全閉側ストッパー部８は、戸板１０の戸先側端面に対向する当接面８ａが、戸板１０の戸先側端面の下端部に当接して戸板１０の閉鎖方向先側への更なる移動を抑制する構成とされている。
全開側ストッパー部９は、戸板１０の戸尻側端面に対向する当接面９ａが、戸板１０の戸尻側端面の下端部に当接して戸板１０の開放方向先側への更なる移動を抑制する構成とされている。これらストッパー部８，９の当接面８ａ，９ａは、互いに向き合うようにかつ略平行状に配される構成とされている。
これらストッパー部８，９の上方側への突出寸法は、戸板１０の移動の抑制が可能なように、また、見栄え上の観点等から適宜、設定するようにしてもよい。
【００２０】
また、これらストッパー部８，９には、後記する戸板１０に設けられた緩衝機構１４，１７を作動させる作用部８ｂ，９ｂが設けられている。
本実施形態では、これらストッパー部８，９の作用部８ｂ，９ｂを、戸幅方向に沿う方向となる互いに向き合う方向に向けて突出するように設けられた作用突部８ｂ，９ｂとしている。図例では、各作用突部８ｂ，９ｂを、各ストッパー部８，９の当接面８ａ，９ａの戸厚方向に沿う方向の略中央部位に設けた例を示している。なお、これら作用突部８ｂ，９ｂの突出寸法等は、後記する緩衝機構１４，１７による戸板１０の減速が効果的になされるように適宜の寸法としてもよい。
【００２１】
戸板１０は、上下に長尺状とされ、図１に示すように、全閉位置において、壁厚方向（戸厚方向）一方側から見て開口３の略全体を覆う構成とされている。また、戸板１０は、図２に示すように、全開位置において、一方の縦枠６の内側面（見込面）と戸先側端面とが略同一平面状となるように配される。
本実施形態では、図１に示すように、戸板１０の上下寸法及び戸幅寸法を、開口３の開口高寸法及び開口幅寸法よりも大としている。図例では、戸板１０の上下寸法を、全閉位置において、壁厚方向一方側から見て上枠５の全体を覆い得る寸法としている。また、戸板１０の戸幅寸法を、全閉位置において、壁厚方向一方側から見て両側の縦枠６，６の略全体を覆い得る寸法としている。また、図例では、全閉位置とされた戸板１０を壁厚方向に見た状態における壁体２との重なり幅（戸幅方向に沿う幅）が戸先側端部よりも戸尻側端部において大となるように戸板１０を配した例を示している。
【００２２】
この戸板１０の戸先側端部には、当該戸板１０を開閉する際の手掛けとなる適宜の引手１８が設けられている。
また、本実施形態では、図３（ａ）に示すように、戸板１０の上端側に、上ガイド部材１９のガイド突片部１９ａに係合する被ガイド部としての凹溝１１を戸幅方向に延びるように設けた構成としている。本実施形態では、この凹溝１１を、戸板１０の上端面において上方に向けて開口するように設けた構成としている。また、この凹溝１１を、溝長手方向に見て、略矩形溝状とした例を示している。また、図例では、この凹溝１１を、ガイド突片部１９ａの概ね全体を受け入れるように設けた例を示している。
【００２３】
なお、この凹溝１１は、上方に向けて開口する断面略コ字状（Ｕ字状またはＣ字状）とされた金属系材料や硬質の合成樹脂系材料等から形成されたレール状部材によって区画されたものとしてもよい。または、少なくとも溝幅方向一方側壁が金属系材料や硬質の合成樹脂系材料等から形成された部材によって区画されたもの等としてもよい。また、図例では、凹溝１１を、戸幅方向両端面において開口させるように戸板１０の全幅に亘って設けた例を示しているが、戸幅方向両端面において開口させないようにしてもよい。
また、この凹溝１１を、壁厚方向一方側から見て上ガイド部材１９の全体を覆い得るように設けた態様としてもよい。例えば、戸板１０の凹溝１１の溝幅方向一方側を区画する一方側（反壁体側）片部によって上ガイド部材１９の全体が覆われるように、この一方側片部の上下寸法を、凹溝１１の溝幅方向他方側を区画する他方側（壁体２側）片部の上下寸法よりも大としてもよい。
【００２４】
また、本実施形態では、戸板１０の下端部に、下レール７のガイド溝７ａに係合する戸車１３，１６を設けている。
本実施形態では、戸板１０の下端部の戸幅方向両端部のそれぞれに、戸車１３，１６を設けている。これら戸車１３，１６は、一部が戸板１０の下端部から下方に向けて突出するように設けられている。また、これら戸車１３，１６は、戸厚方向に沿う軸廻りに回転自在とされ、下レール７のガイド溝７ａに係合して転動する構成とされている。
【００２５】
また、本実施形態では、これら戸車１３，１６を備えた戸車ユニット１２，１５に、戸板１０を減速させ、跳ね返りや衝撃を緩和する構成とされた緩衝機構１４，１７を設けた構成としている。つまり、戸板１０の戸先側の下端部に設けられた戸先側戸車ユニット１２に、全閉位置に移動する戸板１０を減速させる全閉側緩衝機構１４を設けた構成としている。また、戸板１０の戸尻側の下端部に設けられた戸尻側戸車ユニット１５に、全開位置に移動する戸板１０を減速させる全開側緩衝機構１７を設けた構成としている。
これら緩衝機構１４，１７を含む戸車ユニット１２，１５は、互いに同様の構成とされ、戸厚方向に見て線対称状となるように戸板１０の下端側に設けられている。
【００２６】
また、これら緩衝機構１４，１７は、図４に示すように、上記した各ストッパー部８，９の作用部としての作用突部８ｂ，９ｂによって作動される作動アーム１４ａ，１７ａを備えている。また、各戸車ユニット１２，１５に、各ストッパー部８，９の作用突部８ｂ，９ｂを受け入れる凹所１２ａ，１５ａを設けた構成とし、各作動アーム１４ａ，１７ａを、この凹所１２ａ，１５ａ内において変位する構成としている。これら凹所１２ａ，１５ａは、戸幅方向外方側及び下方側に向けて開口するように切欠状に設けられている。
【００２７】
各作動アーム１４ａ，１７ａは、各ストッパー部８，９の作用突部８ｂ，９ｂによって戸板１０に対して変位し、戸板１０を減速させる構成とされている。各緩衝機構１４，１７には、戸板１０に対して変位する作動アーム１４ａ，１７ａの作動抵抗となる適宜のダンパー（ショックアブソーバー）が設けられ、このダンパーの作動抵抗（作動流体の粘性抵抗等）によって戸板１０が減速される。
また、本実施形態では、これら作動アーム１４ａ，１７ａを、戸幅方向に伸縮するロッド状としている。これら作動アーム１４ａ，１７ａは、各ストッパー部８，９の作用突部８ｂ，９ｂによって作動されていない自然状態において突出状態とされる。また、これら作動アーム１４ａ，１７ａを、自然状態で先端部が戸板１０の戸幅方向の各端面から突出しないように各凹所１２ａ，１５ａ内に設けた構成としている。図例では、各作動アーム１４ａ，１７ａを、自然状態で先端部が戸板１０の戸幅方向の各端面と略同一平面状となる構成としている。
また、これら作動アーム１４ａ，１７ａは、各ストッパー部８，９の作用突部８ｂ，９ｂによって押し込まれるように作動される。
【００２８】
なお、図例では、各作動アーム１４ａ，１７ａの先端部に、厚さ方向を戸幅方向に沿わせた円板状部位を設けた例を示しているが、このような態様に限られない。例えば、各作動アーム１４ａ，１７ａの先端部を、各作動アーム１４ａ，１７ａが自然状態において、各凹所１２ａ，１５ａの少なくとも戸幅方向外方側の開口を概ね閉鎖し得るような態様等としてもよい。また、作動アーム１４ａ，１７ａとしては、その他、種々の態様とされたものとしてもよい。
また、これら緩衝機構１４，１７に、ダンパーの作動抵抗に抗して移動する戸板１０を全閉位置または全開位置へと誘導する（引き込む）ように付勢するばね等の付勢部材を設けた構成としてもよい。また、これら緩衝機構１４，１７に、戸板１０が全閉位置または全開位置とされて縮退された作動アーム１４ａ，１７ａの状態を維持するように保持する係合保持部を設けるようにしてもよい。または、戸板１０を全閉位置若しくは全開位置に維持するように保持する適宜の保持機構（キャッチ機構）を緩衝機構１４，１７とは別途に設けた構成としてもよい。
【００２９】
上記構成とされた緩衝機構１４，１７を設けた戸板１０は、各ストッパー部８，９の作用突部８ｂ，９ｂによって減速される。
つまり、図４（ａ）に示すように、戸板１０が開放側から全閉位置に向けて移動する際には、全閉側緩衝機構１４の作動アーム１４ａが全閉側ストッパー部８の作用突部８ｂによる押し込み作用によって縮退するように変位し、戸板１０が減速される。また、戸板１０の戸先側端面の下端部が全閉側ストッパー部８の当接面８ａに当接し、図４（ｂ）に示すように、戸板１０が全閉位置となる。
また、戸板１０が閉鎖側から全開位置に向けて移動する際も同様、図４（ｃ）に示すように、全開側緩衝機構１７の作動アーム１７ａが全開側ストッパー部９の作用突部９ｂによる押し込み作用によって縮退するように変位し、戸板１０が減速される。また、戸板１０の戸尻側端面の下端部が全開側ストッパー部９の当接面９ａに当接し、図４（ｄ）に示すように、戸板１０が全開位置となる。
【００３０】
本実施形態に係る引戸装置１は、上述のような構成としたことで、戸板１０の上端側をガイドする部材１９を少なくとも全閉位置において目立ち難くしながらも、全開位置及び全閉位置に移動する戸板１０の衝撃を緩和することができる。
つまり、壁体２に設けられた開口３を開口３の壁厚方向一方側において開閉するように壁体２の一方面に沿ってスライド自在に建て付けられる戸板１０の上下をガイドする上ガイド部材１９及び下レール７を備えた構成としている。従って、戸板１０をアウトセット状に納めることができる。
また、上ガイド部材１９を、壁体２の一方側において全閉位置の戸板１０の戸幅内に納まる位置となるように配設されるものとしている。従って、従来のように戸板の全閉位置において戸板納め側の壁面において上レールが目立ち易くなるようなものと比べて、戸板１０の上端側をガイドする上ガイド部材１９を少なくとも戸板１０が全閉位置において目立ち難くすることができる。つまり、図１に示すように、戸板１０を全閉位置とすれば、戸板１０を納める側の壁面に上レール等が存在せず、すっきりとした印象を与えることができる。
【００３１】
また、戸板１０の下端部の戸幅方向両端部に、下レール７の両端部に設けられた一対のストッパー部８，９によって作動されるように戸板１０を減速させる緩衝機構１４，１７を設けた構成としている。従って、全開位置及び全閉位置に移動する戸板１０の衝撃を緩和することができる。また、例えば、下レールのガイド溝内等に緩衝機構を収容させるようなことも考えられるが、このようなものと比べて、下レール７の薄型化を効果的に図ることができる。これにより、本実施形態のように、下レール７を床上に配設されるものとした場合にも薄型にすることができ、バリアフリー性を向上させることができる。
【００３２】
また、本実施形態では、上ガイド部材１９を、全開位置の戸板１０の戸先側端部幅内に納まる位置となるように配設される構成としている。つまりは、上ガイド部材１９の戸幅方向に沿う寸法を、戸先側端部の戸幅方向に沿う寸法に応じた寸法とし、上ガイド部材１９を戸板１０のスライド領域の略中央部に配設される構成としている。従って、図２に示すように、戸板１０が全開位置においても上ガイド部材１９を目立ち難くすることができる。なお、このような態様に代えて、例えば、戸板１０の戸幅寸法と略同長さとされ、全閉位置とされた戸板１０の戸幅内に納まる位置となるように配される上ガイド部材１９等としてもよい。
【００３３】
また、本実施形態では、上ガイド部材１９を、開口枠４に固定されるものとしている。従って、ガイド部材１９を固定するための下地等を設けることなく強固に固定することができる。なお、このような態様に代えて、上ガイド部材１９を、下地等を介して壁体２に固定するようにしてもよい。この場合は、開口枠４を設けずに、開口３を、無枠状にクロス仕上された内側面によって区画するようにしてもよい。
【００３４】
また、本実施形態では、戸板１０に凹溝１１を設け、上ガイド部材１９に凹溝１１に挿入されるガイド部としてのガイド突片部１９ａを設けた構成としている。従って、例えば、戸板に凸条を設け、上ガイド部材に凸条が挿入されるガイド溝を設けたものと比べて、戸板１０を効果的に壁体２の一方面（開口枠４の見付面）に近接させることができる。
なお、戸板１０の上端部に、上方に開口する凹溝１１を設けた態様に代えて、戸板１０の壁体２側に向く戸厚方向一方側面（背面）において開口するように凹溝１１を設けた構成としてもよい。この場合は、上ガイド部材１９を適宜、変形するようにしてもよい。また、戸板１０側に凹溝１１を設け、上ガイド部材１９側に凹溝１１に挿入される部位を設けた態様に代えて、戸板１０側に凸条を設け、上ガイド部材１９側に凸条が挿入されるガイド溝を設けた態様等としてもよい。
【００３５】
また、本実施形態では、各緩衝機構１４，１７の作動アーム１４ａ，１７ａを、戸板１０の戸幅方向の各端面から突出しないように設け、各ストッパー部８，９に、各作動アーム１４ａ，１７ａを作動させる作用部としての作用突部８ｂ，９ｂを設けた構成としている。従って、戸板の戸幅方向両端面から戸幅方向に突出するように作動アームを設けたようなものと比べて、見栄えを向上させることができ、また、引っ掛かりや損傷等を抑制することができる。なお、このような態様に代えて、戸板の戸幅方向両端面から戸幅方向に突出するように作動アームを設けた態様としてもよい。この場合は、各ストッパー部８，９に突部を設けずに、当接面８ａ，９ａを作用部として把握するようにしてもよい。
【００３６】
また、本実施形態では、戸板１０の下端側の各緩衝機構１４，１７を、戸車１３，１６を備えた戸車ユニット１２，１５に設けた例を示しているが、他の部位に設けるようにしてもよい。さらには、このような戸車１３，１６を戸板１０の下端部に設けた態様に代えて、戸板１０の下端部に設けられた突条や下端部自体が下レール７のガイド溝７ａに係合してガイドされる態様等としてもよい。
また、本実施形態では、各緩衝機構１４，１７に、戸幅方向に伸縮するロッド状の作動アーム１４ａ，１７ａを設けた構成とした例を示しているが、このような態様に限られない。例えば、各緩衝機構１４，１７に、上下方向に伸縮するロッド状の作動アーム１４ａ，１７ａを設けた構成としもよい。この場合は、ストッパー部８，９に、戸幅方向外方側に向かうに従い上るように傾斜する傾斜面を作用部として設けた態様としてもよい。または、各緩衝機構１４，１７に、戸厚方向に沿う軸廻りに回転する作動アーム１４ａ，１７ａを設けた構成等としもよい。戸板１０に設けられる緩衝機構１４，１７としては、その他、種々の変形が可能であり、また、各ストッパー部８，９の作用部８ｂ，９ｂについても種々の変形が可能である。
【符号の説明】
【００３７】
１    引戸装置
４    開口枠
７    下レール
８    全閉側ストッパー部（ストッパー部）
９    全開側ストッパー部（ストッパー部）
１０  戸板
１４  全閉側緩衝機構（緩衝機構）
１７  全開側緩衝機構（緩衝機構）
１９  上ガイド部材
２    壁体
３    開口
【図１】
2016130390.tif 000003
【図２】
2016130390.tif 000004
【図３】
2016130390.tif 000005
【図４】
2016130390.tif 000006